(57)【要約】【課題】ポータブルトイレの便座の下に配され、汚物受け用のバケツが着脱可能に装着されるトレイであって、汚水を分散させて溜めることのできるトレイを提案する。【解決手段】トレイ３は、ポータブルトイレの便座の下に配され、汚物受け用のバケツが着脱可能に装着されるトレイである。トレイ３は、バケツが挿入される凹部３０と、凹部３０の上端部を囲んで位置する平面視環状の汚水受け３１と、汚水受け３１の外周縁から上方に突出した周壁３２と、を備える。汚水受け３１は、その外周縁において周方向に距離をあけて位置する複数の隅部３１０を有する。汚水受け３１の上面は、複数の隅部３１０が汚水受け３１の他の部分よりも低くなるように、全体が傾斜している。【選択図】図１４
2018201589.tif 000002
【特許請求の範囲】
【請求項１】
ポータブルトイレの便座の下に配され、汚物受け用のバケツが着脱可能に装着されるトレイであって、
前記バケツが挿入される凹部と、
前記凹部の上端部を囲んで位置する平面視環状の汚水受けと、
前記汚水受けの外周縁から上方に突出した周壁と、を備え、
前記汚水受けは、その外周縁において周方向に距離をあけて位置する複数の隅部を有し、
前記汚水受けの上面は、前記複数の隅部が前記汚水受けの他の部分よりも低くなるように、全体が傾斜していることを特徴とするトレイ。
【請求項２】
前記複数の隅部は、前記汚水受けの外縁のうち、前記複数の隅部を除いた部分よりも前記凹部からの距離を隔てた部分であることを特徴とする請求項１に記載のトレイ。
【請求項３】
前記汚水受けの前記上面の外形状は、矩形状であり、前記複数の隅部は、４つの隅部であることを特徴とする請求項２に記載のトレイ。
【発明の詳細な説明】
【技術分野】
【０００１】
本発明は、ポータブルトイレの便座の下に配され、汚物受け用のバケツが着脱可能に装着されるトレイに関する。
【背景技術】
【０００２】
特許文献１には、ポータブルトイレの便座の下に配され、汚物を収容するバケツが着脱可能に装着される、トレイ状の受け部が記載されている。
【０００３】
受け部は、その中央部にバケツが装着される開口部を有し、受け部の上面には、開口部の外側を囲むように、環状の溝部が形成されている。
【０００４】
溝部の底面は、前側の部分ほど下方に位置するように傾斜するか、あるいは、後側の部分ほど下方に位置するように傾斜している。そのため、バケツから跳ねた汚水や、便座に座る利用者からの汚水は、溝部の一か所（前端部あるいは後端部）に溜めることができる。
【先行技術文献】
【特許文献】
【０００５】
【特許文献１】特開２０１５−１２９０５号公報
【発明の概要】
【発明が解決しようとする課題】
【０００６】
しかし、特許文献１に記載の受け部のように、汚水を一か所に集中させる場合、汚水の量によっては、受け部に装着されたバケツの取っ手が、溜まった汚水に浸かったり、汚水が受け部の中央の開口部へと流れ込むおそれがある。
【０００７】
上記事情に鑑みて、本発明は、ポータブルトイレの便座の下に配され、汚物受け用のバケツが着脱可能に装着されるトレイであって、汚水を分散させて溜めることのできるトレイを提案すること、を目的とする。
【課題を解決するための手段】
【０００８】
上記課題を解決するために本発明に係る一態様のトレイは、ポータブルトイレの便座の下に配され、汚物受け用のバケツが着脱可能に装着されるトレイである。
【０００９】
一態様のトレイは、前記バケツが挿入される凹部と、前記凹部の上端部を囲んで位置する平面視環状の汚水受けと、前記汚水受けの外周縁から上方に突出した周壁と、を備える。
【００１０】
前記汚水受けは、その外周縁において周方向に距離をあけて位置する複数の隅部を有する。前記汚水受けの上面は、前記複数の隅部が前記汚水受けの他の部分よりも低くなるように、全体が傾斜している。
【発明の効果】
【００１１】
本発明に係る一態様のトレイは、汚水を分散させて溜めることができる。
【図面の簡単な説明】
【００１２】
【図１】図１は、本発明に係る一実施形態のポータブルトイレを示す斜視図であり、座面シートを折り畳んだ状態の図である。
【図２】図２は、同上のポータブルトイレを示す斜視図であり、座面シートで便座を覆った状態の図である。
【図３】図３は、同上のポータブルトイレを示す斜視図であり、トレイとバケツと便座と座面シートの図示を省略した図である。
【図４】図４は、同上のポータブルトイレのバケツを示す側面図であり、蓋を閉じた状態の図である。
【図５】図５は、同上のバケツを示す平面図である。
【図６】図６は、同上のバケツを示す平面図であり、蓋の図示を省略した図である。
【図７】図７は、同上のバケツの要部を示す側面図であり、蓋と取っ手の図示を省略した図である。
【図８】図８は、同上のバケツの中身を捨てる様子を示す側面図である。
【図９】図９Ａ、図９Ｂは、同上のバケツの取っ手を回転させる様子を示す斜視図である。
【図１０】図１０は、同上の取っ手を示す斜視図である。
【図１１】図１１は、同上のバケツの蓋を示す一部破断された斜視図である。
【図１２】図１２は、同上のバケツに対して蓋を付け外しする様子を示す斜視図である。
【図１３】図１３は、同上のポータブルトイレのトレイを示す斜視図である。
【図１４】図１４は、同上のトレイを示す平面図である。
【図１５】図１５は、同上のトレイにバケツが装着された状態を示す斜視図である。
【図１６】図１６は、図１５のＡ―Ａ線における断面図である。
【図１７】図１７は、同上のトレイに装着されたバケツの取っ手に手を掛ける様子を示す斜視図である。
【図１８】図１８Ａは、同上のポータブルトイレの便座を示す底面図であり、図１８Ｂは、図１８ＡのＢ−Ｂ線における断面図である。
【図１９】図１９は、同上のポータブルトイレの肘掛けを示す側面図である。
【図２０】図２０は、同上の肘掛けとトイレ本体との分解斜視図である。
【図２１】図２１は、同上の肘掛けの分解斜視図である。
【図２２】図２２Ａ，図２２Ｂは、同上の肘掛けの保持部の動作を示す水平断面図である。
【図２３】図２３Ａ〜Ｃは、保持部固定部材の動作を示す水平断面図である。
【発明を実施するための形態】
【００１３】
以下に示す実施形態は、ポータブルトイレに関し、詳しくは、便座の下方に、汚物受け用のバケツが着脱可能に装着されるポータブルトイレに関する。
【００１４】
（１）ポータブルトイレの概要
図１、図２には、一実施形態のポータブルトイレ１が示されている。
【００１５】
ポータブルトイレ１は、汚物受け用のバケツ２と、バケツ２が着脱可能に装着されるトレイ３と、バケツ２及びトレイ３が収納されるトイレ本体４と、トイレ本体４を支持する脚５と、トイレ本体４に支持される背もたれ６及び肘掛け７と、を備える。バケツ２は、蓋８と取っ手９（図４参照）を備える。ポータブルトイレ１はさらに、トイレ本体４に装着される便座１０と座面シート１１を備える。
【００１６】
以下では、図１に示す状態を基準にし、平面視において、背もたれ６に対してバケツ２が位置する側を前方とし、その反対側を後方とし、この前後方向に対して直交する方向を左右方向として、各構成について説明する。各図において、矢印Ｘで示す方向が前方であり、矢印Ｙで示す方向が右方であり、矢印Ｚで示す方向が上方である。
【００１７】
（２）ポータブルトイレの各構成についての説明
（２−１）トイレ本体
図３に示すように、トイレ本体４は、平面視矩形枠状である。トイレ本体４は、例えば、木製である。トイレ本体４は、前板４０、後板４１、左右一対の側板４２、及び左右一対の支持部材４３を有する。前板４０と後板４１と左右一対の側板４２は、平面視矩形枠状に一体化されている。
【００１８】
左右一対の支持部材４３のそれぞれは、例えば角棒状である。左右一対の支持部材４３は、前板４０の右端部と後板４１の右端部の間と、前板４０の左端部と後板４１の左端部の間に、それぞれ架け渡されている。左右一対の支持部材４３は、左右一対の側板４２の上面よりも下方に位置する。
【００１９】
前板４０の上面の左右の端部と、左右一対の支持部材４３の上面とは、面一である。前板４０の上面の左右方向の中央部には、正面視において下方に凸の円弧状に切り欠かれた形状の凹み４００が設けられている。前板４０と左右一対の支持部材４３が、トレイ３を支持するトレイ受け４４を構成している。トレイ３は、トレイ受け４４に対して着脱可能である。
【００２０】
左右一対の側板４２のそれぞれは、その後端部から上方に突出するように延長された支持板６０を含む。
【００２１】
（２−２）座面シート
図１、図２に示すように、座面シート１１は、その後端部が、トイレ本体４の後端部に回転可能に取り付けられている。座面シート１１は、２つ折り可能なシートである。座面シート１１は、便座１０の上に載せられる倒伏姿勢（図２参照）と、トイレ本体４の後端部の上方に２つ折り状態で起立する起立姿勢（図１参照）との間で回転可能である。倒伏姿勢にしたときの座面シート１１の上面は、座面として利用可能である。座面シート１１は、表面全体がクッションで覆われている。座面シート１１は、２つ折り状態でトイレ本体４の後方で倒伏する第二の倒伏姿勢へとさらに回転可能である。
【００２２】
座面シート１１の前部分には、座面シート１１の姿勢を操作するためのバンド１１０が設けられている。利用者は、バンド１１０を掴むことで座面シート１１の姿勢を簡単に切り替えることができる。
【００２３】
（２−３）背もたれ
背もたれ６は、一対の支持板６０の上端部間に介在する。背もたれ６は、その表面全体がクッション６１で覆われている。
【００２４】
（２−４）バケツ
図４、図５に示すように、バケツ２は、底壁２００と周壁２０１を有するバケツ本体２０と、周壁２０１の上端面に載せられる蓋８と、周壁２０１の上端部に回転可能に設けられた円弧状の取っ手９とを備える。図６、図７に示すように、バケツ２はさらに、周壁２０１の前端部の上端に設けられた注ぎ口２１と、周壁２０１の後端部に設けられたハンドル２２と、ハンドル２２の上方に位置するように、周壁２０１の後端部から突出した蓋受け２３とを備える。ハンドル２２は、上下方向を長手方向とする棒状に設けられている。
【００２５】
蓋８は、周壁２０１の上端開口を塞ぐ閉塞姿勢（図４参照）と、周壁２０１の上端開口を開く排水姿勢（図８参照）とに切り替え可能である。閉塞姿勢は、蓋８が周壁２０１の上端面に載せられた姿勢である。排水姿勢は、蓋８の後端部が蓋受け２３の上面に載せられた姿勢である。蓋８が閉塞姿勢にあるとき、注ぎ口２１は蓋８によって塞がれ、蓋８が排水姿勢にあるとき、注ぎ口２１は開放される。
【００２６】
（２−４−１）バケツ本体
図６に示すように、底壁２００の上面は、円形状である。底壁２００は、円板状であり、上下方向の長さ（厚み）が一定である。周壁２０１は、底壁２００の外周縁と連続している。周壁２０１のうち、底壁２００を囲む部位から、平面視略円環状の脚２０２が下方に突出している。
【００２７】
図４、図６に示すように、周壁２０１は、内周面の平断面形状が楕円形状の上部分２０３と、内周面の平断面形状が円形状の下部分２０４とを有する。上部分２０３と下部分２０４はともに、上側の部分ほど内径が大きくなるように、内周面が傾斜している。周壁２０１は、厚みが一定であり、外周面の形状も内周面の形状に対応している。
【００２８】
周壁２０１は、上部分２０３の上縁から径外方向に延長されたフランジ２０５と、フランジ２０５の外周端から下方に延長された外筒２０６とを含む。フランジ２０５の上面が周壁２０１の上端面を構成している。上部分２０３は、その前端部に、注ぎ口２１に連続するように前側に膨らんだ膨出部２０７を有する。
【００２９】
フランジ２０５は、上部分２０３の上縁の形状に対応して、平面視楕円状の環状に形成される。フランジ２０５は、その前端部において、外周縁と内周縁が、間の間隔が狭くなるように前方に突出しており、この狭まった前端部が、注ぎ口２１の縁を構成している。本実施形態では、フランジ２０５の前端部において、内周縁は、外周縁よりも前方に大きく突出しており、これにより、外周縁と内周縁の間の間隔が狭まっている。注ぎ口２１は、下流側ほど流路面積が狭くなっている。
【００３０】
フランジ２０５は、その後端部において、外周縁が前方に凸の円弧状をなして、内周縁との間が狭まっており、この狭まった後端部から、蓋受け２３が後方に突出している。蓋受け２３は、図６、図７に示すように、後斜め下方に延長された板状の本体部２３０と、本体部２３０の外周縁から下方に延長され、外筒２０６と連続した下片２３１とを含む。
【００３１】
蓋受け２３の上面（本体部２３０の上面）は、後側の部分ほど下方に位置するように傾斜した傾斜面である。蓋受け２３の上面は、フランジ２０５の上面よりも一段低く位置し、かつフランジ２０５の上面に対して傾いている。本体部２３０の上面の左右方向の中央部には、本体部２３０の上面のその他の部分よりも一段低く設けられた下段部２３２が設けられている。下段部２３２は、フランジ２０５の上面に対して略平行である。下段部２３２は、平面視略半円状である。
【００３２】
蓋受け２３の本体部２３０から、棒状のハンドル２２が下方に突出している。本実施形態では、ハンドル２２は、後方に開口した平断面Ｕ字状であり、底部分は閉塞されている。
【００３３】
図９に示すように、外筒２０６の左右の端部には、取っ手９を取り付けるための取付孔２４と、外側方に突出した引っ掛かり部２５と、外側方に突出した前後一対の凸状のストッパー２６とが設けられている。
【００３４】
（２−４−２）取っ手
図６、図１０に示すように、取っ手９は、円弧状の本体部９０と、指を引っ掛けることができるように本体部９０からその径外方向に突出したリブ構造９１と、本体部９０の周方向の両端部からその径内方向に突出した一対の回転軸９２とを備える。取っ手９は、樹脂成型品である。
【００３５】
本体部９０は、本体部９０の周方向の中央部分を構成する把持部９３と、本体部９０の周方向の両端部分を構成する一対の取付部９４と、本体部９０のうち把持部９３と一対の取付部９４の間の部分を構成する一対の中間部９５とを含む。
【００３６】
取っ手９は、把持部９３がバケツ本体２０の底壁２００の上方に位置する第一姿勢と、把持部９３がバケツ本体２０の上端部の側方に位置する第二姿勢（図４参照）との間で回転可能である。本実施形態では、第二姿勢は、把持部９３が蓋受け２３の後方に位置する姿勢である。なお、取っ手９は、把持部９３が注ぎ口２１の前方に位置する第三姿勢への回転も可能である。
【００３７】
本体部９０の幅方向の長さ（例えば第二姿勢にあるときの上下長さ）は、周方向に亘って一定である。本体部９０の径内外方向の長さ（つまり厚み）は、周方向に亘って一定である。
【００３８】
取っ手９の幅方向から視たときの本体部９０の形状は、バケツ２の上端部の後半部（蓋受け２３を含んだ部分）の外形状に沿った円弧状である。ここでいう円弧状とは、全体形状がおよそ円弧状であることを意味し、周方向に亘って径が一定の円弧に限定されない。
【００３９】
リブ構造９１を構成する突条片９１０は、一対の中間部９５のそれぞれから突出している。さらに本実施形態では、把持部９３のうち周方向の中央部を除いた残りの部分からも、突条片９１０が突出している。把持部９３から突出した突条片９１０と、一対の中間部９５のそれぞれから突出した突条片９１０は、繋がっており、突出先端面が全体として半円状をなしている。
【００４０】
把持部９３から突出した突条片９１０と一対の中間部９５のそれぞれから突出した突条片９１０は、取っ手９の幅方向の位置（例えば取っ手９が第二姿勢にあるときの上下位置）が互いに同じである。取っ手９が第二姿勢にあるとき、各突条片９１０は、把持部９３及び一対の中間部９５のそれぞれの、上端よりも若干下方の部分から突出している。
【００４１】
一対の回転軸９２は、前後方向の位置が互いに同じであり、互いに近づく方向に突出している。一対の回転軸９２のそれぞれは、略円柱状である。取っ手９は、一対の回転軸９２がバケツ本体２０の一対の取付孔２４にそれぞれ挿入されることによって、バケツ本体２０に対して回転可能に取り付けられる。
【００４２】
図６、図９に示すように、取っ手９はさらに、一対の取付部９４のそれぞれからその径内方向に突出した引っ掛け部９６を有する。一対の引っ掛け部９６のそれぞれは、矩形板状であり、本実施形態では、一対の回転軸９２と一体である。各引っ掛け部９６は、対応する回転軸９２のうち、取っ手９の周方向の端側を向く面と一体に設けられている。各引っ掛け部９６は、各回転軸９２よりも左右方向に短い。
【００４３】
一対の引っ掛け部９６のそれぞれは、取っ手９が第一姿勢から第二姿勢へ回転する間に、対応する引っ掛かり部２５に当たるように構成されている。これにより、取っ手９は、第一姿勢から第二姿勢へ回転する際に、その回転速度が抑えられ、トレイ３に勢いよく衝突することが抑制される。本実施形態では、各引っ掛け部９６は、取っ手９が第二姿勢に近づいたときに、対応する引っ掛かり部２５に当たりながら乗り越えるように構成されている。
【００４４】
なお、各引っ掛け部９６は、対応する引っ掛かり部２５に当たることで、回転が一旦止まるように構成されていてもよい。この場合、取っ手９を手で抑えてさらに第二姿勢の方向へ回転させることによって、各引っ掛け部９６を対応する引っ掛かり部２５を乗り越えさせるようにしてもよい。
【００４５】
取っ手９が第二姿勢にあるときに、一対の引っ掛け部９６のそれぞれは、一対のストッパー２６のうち前側のストッパー２６に下から当たる。これにより、第二姿勢にあるときの取っ手９の上下位置が定まる。なお、取っ手９が第三姿勢にあるときには、一対の引っ掛け部９６のそれぞれは、後側のストッパー２６に下から当たり、上下位置が定まる。これにより、第三姿勢にあるときの取っ手９の上下位置が定まる。
【００４６】
（２−４−３）蓋
図４、図５に示すように、蓋８は、バケツ本体２０のフランジ２０５に載せられて、バケツ本体２０の上端開口の全体を塞ぐ蓋本体８０と、蓋本体８０から上方に突出したグリップ８１と、を備える。蓋８は、例えば、樹脂成型品である。
【００４７】
グリップ８１は、蓋本体８０の中央部と前縁の間に位置する突条部８２と、蓋本体８０の中央部に位置する第二の突条部８３と、蓋本体８０の中央部と後縁の間に位置する第三の突条部８４を含む。
【００４８】
突条部８２は、前後方向を長手方向とする突条である。なお、突条部８２には、左右方向に貫通する孔が設けられていない。突条部８２は、手の甲が上を向く姿勢の片手で左右から指で掴むことで、把持可能である。
【００４９】
第二の突条部８３は、前後方向を長手方向とする突条であり、左右方向に貫通した孔８５を含む。孔８５は、指の挿入が可能な大きさを有する。孔８５は、第二の突条部８３の長手方向に亘って位置する。第二の突条部８３は、手の甲が側方を向く姿勢の片手で、孔８５に指を通すことで、把持可能である。
【００５０】
第三の突条部８４は、前後方向を長手方向とする突条である。なお、第三の突条部８４には、左右方向に貫通する孔が設けられていない。第三の突条部８４は、蓋本体８０の後縁に繋がっている。
【００５１】
突条部８２と第二の突条部８３と第三の突条部８４は、一直線状に繋がっている。突条部８２の上面と、第二の突条部８３の上面と、第三の突条部８４の上面は、側面視円弧状をなすように、連続している。
【００５２】
蓋本体８０は、バケツ本体２０の上端開口を塞ぐ板状の底壁８６と、底壁８６の外周縁から上方に延長された周壁８７と、周壁８７の上端から周方向に亘って外側に突出したフランジ８８とを有する。
【００５３】
底壁８６と周壁８７の外形状は、バケツ本体２０の上端開口と略同じ形状である。底壁８６と周壁８７のそれぞれは、注ぎ口２１を塞ぐように前方に突出した部分を有する。フランジ８８は、バケツ本体２０のフランジ２０５と平面視における形状が略同じである。
【００５４】
蓋８は、フランジ８８の後端部から後方に突出した操作部８９を備える。操作部８９は、平面視における形状が、蓋受け２３と略同じ板体である（図６参照）。操作部８９の上面は、フランジ８８の上面よりも一段低く平行に位置する。
【００５５】
蓋８が閉塞姿勢にあるときに、底壁８６と周壁８７が、バケツ本体２０の上端開口に嵌まってこの上端開口を閉塞し、フランジ８８が、バケツ本体２０のフランジ２０５の上面に載せられる。このとき、蓋８の操作部８９は、バケツ２の蓋受け２３から上方に離れて位置する。
【００５６】
蓋８が排水姿勢にあるとき、蓋８の操作部８９は、バケツ２の蓋受け２３の上面に載せられ、底壁８６及び周壁８７は、バケツ本体２０の上端開口から離れてこの上端開口を開く。このとき、フランジ８８は、バケツ本体２０のフランジ２０５から離れて位置する。
【００５７】
図１１に示すように、突条部８２と第二の突条部８３と第三の突条部８４のそれぞれは、底壁８６から上方に突出しかつ下方に開口した形状に設けられる。突条部８２と第三の突条部８４のそれぞれは、中空であり、第二の突条部８３は、孔８５よりも下方の部分が中空である。
【００５８】
突条部８２は、底壁８６の前端部から上方に突出している。突条部８２は、周壁８７の前端部との間に、隙間をあけて位置する。第二の突条部８３は、底壁８６の前後方向の中央部から上方に突出している。第三の突条部８４は、底壁８６の後端部から上方に突出している。第三の突条部８４は、周壁８７の後端部と繋がっている。
【００５９】
蓋８は、フランジ８８の後端部と操作部８９から上方に突出した第四の突条部８９０をさらに備える。第四の突条部８９０は、第三の突条部８４に繋がっている。第四の突条部８９０には、蓋８の開閉操作の際に親指が載せられる凹み８９１が設けられている。
【００６０】
第三の突条部８４と第四の突条部８９０との境界部分には、下方に突出する堰８４０が設けられている。蓋８を前側の部分ほど上方に位置するように傾けた姿勢としたとき、第三の突条部８４の裏面（下面）から操作部８９の裏面（下面）へ汚水が伝わって流れることを堰８４０によって防ぐことができる。
【００６１】
蓋８は、図１２に示すように、手の甲が上方を向く姿勢の片手で、蓋８の前端部分の突条部８２を掴むことができる。そのため、トレイ３に装着されたバケツ２に対して、蓋８を着脱する際に、トレイ３上の便座１０の前端部を少し上に持ち上げるだけでよく、蓋８の着脱の操作がしやすい。
【００６２】
（２−５）トレイ
図１３、図１４に示すように、トレイ３は、バケツ２が挿入される凹部３０と、凹部３０の上端部を囲んで位置する平面視環状の汚水受け３１と、汚水受け３１の外周縁から上方に突出した周壁３２とを備える。トレイ３はさらに、周壁３２の上端から周方向に亘って外側に突出した環状の便座受け３３と、便座受け３３の外周縁から上方に突出した第二周壁３４と、第二周壁３４の上端から突出した天面部３５とを備える。トレイ３はさらに、天面部３５の外縁から下方に突出した外枠３６と、トレイ３の前端部に位置し、前方及び上方に開放された凹段部３７を有する。凹段部３７は、便座受け３３の前縁に連続している。
【００６３】
凹部３０は、バケツ２の外形状に対応した形状を有する。凹部３０は、バケツ本体２０が挿入される本体部３００と、ハンドル２２が挿入される拡張部３０１とを含む。本体部３００と拡張部３０１とは連通している。凹部３０には、バケツ本体２０のうち、外筒２０６よりも下方の部分全体が収容される。バケツ本体２０のうち、フランジ２０５と外筒２０６は、凹部３０よりも上方に配される。
【００６４】
拡張部３０１の上下長さは、ハンドル２２の上下長さに対応しており、本体部３００に比べて短い。本体部３００と拡張部３０１はそれぞれ、底面を有する。拡張部３０１の底面は、本体部３００の底面よりも上方に位置し、受けた汚水が本体部３００に流れ落ちるように傾斜している。
【００６５】
凹部３０と汚水受け３１の境界部分には、凹部３０の開口の縁に沿った環状の堰３８が上方に突出するように設けられている。
【００６６】
汚水受け３１は、その外周縁において周方向に距離をあけて位置する複数の隅部３１０を有する。汚水受け３１の上面は、複数の隅部３１０が、汚水受け３１の上面の他の部分よりも低くなるように、全体が傾斜している。複数の隅部３１０は、汚水受け３１の上面の他の部分よりも凹部３０からの距離を隔てた部分である。
【００６７】
本実施形態では、汚水受け３１の外形状は、矩形状であり、汚水受け３１は、４つの隅部３１０を有する。汚水受け３１は、拡張部３０１の後方の部分に、汚水受け３１の他の部分よりも一段高く設けられた支持部３１１を有している。
【００６８】
汚水受け３１のうち、支持部３１１を除いた残りの部分において、汚水受け３１の上面は、凹部３０から離れた部分ほど下方に位置するように一定の角度で傾斜している。４つの隅部３１０は、汚水受け３１の上面のうち、他の部分よりも凹部３０からの距離を隔てた部分であるため、他の部分に比べて低くなっている。
【００６９】
周壁３２は、平面視矩形状である。なお、本明細書において、矩形状とは、全体形状がおよそ矩形状であることを意味し、厳密な意味での矩形の形状に限定されない。周壁３２は、汚水受け３１の上面から便座受け３３の上面への汚水の移動を防ぐ。周壁３２は、堰３８との間に、第二姿勢または第三姿勢とした取っ手９が収まるように、堰３８からの距離が設定されている。
【００７０】
便座受け３３は、周壁３２の上端のうち、その前端部の左右方向の中央部分を除いた残りの部分から、外側に突出している。便座受け３３は、平面視略Ｕ字状である。便座受け３３は、その後端部に後方に拡がった拡張部３３０を含む。
【００７１】
第二周壁３４は、便座受け３３の外周縁のうち、前端部の左右方向の中央部を除く部分から上方に突出している。第二周壁３４は、便座受け３３の前端部の左右の端部においては、左右方向内側の部分ほど、上端の高さが低くなるように、上方に突出している。
【００７２】
天面部３５は、第二周壁３４の後端部の上端から後方に突出した後天面部３５０と、第二周壁３４の前端部の上端から前斜め下方に円弧状に突出した前天面部３５１とを含む。
【００７３】
後天面部３５０は、拡張部３３０の左右両側において、第二周壁３４の後端部の上端から後方に突出している。前天面部３５１は、凹段部３７の左右両側において、第二周壁３４の前端部の上端から前斜め下方に突出している。
【００７４】
外枠３６は、左右一対の後枠３６０と、左右一対の前枠３６１とを含む。左右一対の後枠３６０は、左右の後天面部３５０の後縁と左右方向外側の縁から、平面視Ｌ字状に下方に突出している。左右一対の前枠３６１は、左右の前天面部３５１の左右方向外側の縁から、平面視一直線状に下方に突出している。左右一対の後枠３６０と左右一対の前枠３６１は、第二周壁３４の左右の端部を介して、前後に連続している。左右一対の後枠３６０は、第二周壁３４の後端部を介して、左右に連続している。
【００７５】
凹段部３７は、周壁３２の前縁と、その左右に位置する便座受け３３の前縁から下方に突出した後壁３７０と、後壁３７０の下端部から前方に延長された底壁３７１とを含む。後壁３７０の上端は、正面視一直線状であり、便座受け３３の上面と同じ上下位置である。底壁３７１は、正面視において下方に凸の円弧状である。底壁３７１は、左右の端部が左右の前天面部３５１の上面と滑らかに連続している。左右の前天面部３５１のそれぞれは、底壁３７１の上面と連続するように湾曲した円弧面３５２を含んでいる。
【００７６】
凹段部３７は、図１に示すように、左右方向において、便座１０の孔１００よりも外側まで拡がるように形成されている。
【００７７】
トレイ３は、トイレ本体４のトレイ受け４４（図３参照）上に載せることで、トイレ本体４に装着される。トレイ３は、便座受け３３の左右の端部が、左右の支持部材４３上に載せられ、凹段部３７が、前板４０の凹み４００上に載せられる。トレイ３は、トイレ本体４に対して着脱可能である。
【００７８】
トレイ３には、図１５に示すように、バケツ２が凹部３０に装着される。バケツ２の第二姿勢の取っ手９は、把持部９３が支持部３１１上に載せられ、一対の中間部９５及び一対の取付部９４のそれぞれと、汚水受け３１の上面との間には、隙間が形成される。一対の中間部９５から突出するリブ構造９１と、これに対向する位置にある周壁３２の一部（周壁３２のうち後側の隅部３１０の上方の部分）との間には、手の指先を挿入可能なスペースが形成される。利用者は、このスペースに指先を挿入し、取っ手９のリブ構造９１（突条片９１０）に指先を引っ掛けることで、取っ手９を簡単に持ち上げることができる。
【００７９】
図１６に示すように、凹部３０にバケツ２を装着した状態では、外筒２０６は、その下端が汚水受け３１の上面に当たる。堰３８は、バケツ２のバケツ本体２０の上部分２０３の上端部と外筒２０６の間に収まる。
【００８０】
また、トレイ３には、図１に示すように、便座１０が装着される。便座１０は、トレイ３の便座受け３３によって支持され、このとき、便座１０の前端部の下方には、トレイ３の凹段部３７が位置する。便座１０は、凹段部３７に指を入れることで、便座１０の前端部を持ち上げることができる。本実施形態では、凹段部３７は、便座１０の孔１００よりも左右方向の外側に拡がっているため、便座１０の前端部のうち、孔１００の前方の汚れやすい部分ではなく、孔１００よりも左右方向外側の部分を持ち上げることが可能である。
【００８１】
（２−６）便座
図１、図１８Ａ、図１８Ｂに示すように、便座１０は、上下方向に貫通する孔１００を中央部に有する。便座１０の下面には、複数のスペーサー１０１が設けられている。便座１０は、複数のスペーサー１０１を介して便座受け３３に載せられる。
【００８２】
便座１０は、孔１００よりも前側の部分の下面に、汚水の前方への飛び出しを抑える汚水止め部材１０２を着脱可能に有する。汚水止め部材１０２は、本実施形態では、便座１０の下面のうち、孔１００の前縁部分に取り付けられる。
【００８３】
便座１０は、表面（上面及び下面）がクッション材で覆われている。汚水止め部材１０２は、樹脂成型品である。汚水止め部材１０２は、平面視円弧状の取付板１０３と、取付板１０３の後縁部分から下方に突出した突部１０４とを含む。突部１０４は、平面視円弧状であり、取付板１０３の長手方向に亘っている。
【００８４】
便座１０が、孔１００よりも前側の部分の下面に、汚水止め部材１０２を有することで、便座１０に座って用を足す利用者からの汚水を、汚水止め部材１０２で受けることができ、汚水が便座１０の前方に飛び出すことを抑制することができる。また、汚水止め部材１０２が便座１０に対して着脱可能であるため、汚水止め部材１０２を便座１０から取り外して汚れを落とすことができ、汚水止め部材１０２の清掃がしやすい。
【００８５】
（２−７）肘掛け
ポータブルトイレ１は、図１に示すように、左右方向に互いに離れた一対の肘掛け７を有している。各肘掛け７は、図１９に示すように、トイレ本体４の支持板６０に固定された台座部６２に軸支されており、左右軸周りに回転可能に取り付けられている。一対の肘掛け７は、独立して回転可能に構成されている。
【００８６】
各台座部６２は、図２０に示すように、支持板６０の上下方向の中間部分に取り付けられている。台座部６２は、支持板６０の外側方の面（以下、外側面）に取り付けられる基台プレート６３と、支持板６０において基台プレート６３の反対側の面（以下、内側面）に取り付けられるバックプレート６４とを備えている。各台座部６２は、一対の支持板６０の各々に取り付けられている。
【００８７】
基台プレート６３は、複数の固着具挿通孔６３５が設けられた外側固定板部６３１と、外側固定板部６３１の前端部及び後端部の各々から支持板６０の内側面側に突出する一対の突片６３４とを備え、水平断面略Ｃ字状に形成されている。外側固定板部６３１は、左右方向に直交する鉛直面からなる主面６３２と、主面６３２から左右方向のうちの外側方に突出した回転軸６３３とを有している。外側固定板部６３１は、支持板の外側面に沿って配置されることで、主面６３２は鉛直面に沿った状態となる。回転軸６３３は、左右方向に延びており、肘掛け７が回転可能に取り付けられている。
【００８８】
バックプレート６４は、基台プレート６３よりも上下方向に長く形成されており、支持板６０の内側面側から取り付けられる。バックプレート６４は、複数の固着具挿通孔が設けられた内側固定板部６４１と、内側固定板部６４１の前端部及び後端部の各々から支持板６０の外側面側に突出する一対の突片６４２とを備え、水平断面略Ｃ字状に形成されている。内側固定板部６４１は、支持板６０の内側面に沿って配置される。バックプレート６４の突片６４２は、基台プレート６３の突片６３４と支持板６０との間に配置される。
【００８９】
台座部６２は、バックプレート６４を支持板６０の内側面側から嵌め込んだ状態で、基台プレート６３を支持板６０の外側面側から嵌め込み、基台プレート６３とバックプレート６４とを固着具で締結することで取り付けられる。バックプレート６４は、特に図示しないが、複数の固着具挿通孔が上下方向の複数箇所に設けられており、バックプレート６４に対する基台プレート６３の取付位置が上下方向に変更可能に構成されている。なお、支持板６０には、固着具挿通孔６３５に対応する箇所に、固着具が挿入される貫通孔が設けられている。
【００９０】
肘掛け７は、台座部６２の回転軸６３３に支持されている。肘掛け７には軸孔部７１１が設けられており、軸孔部７１１に回転軸６３３が挿入された状態で、回転軸６３３の長手方向の端部に抜止部材６５が固定されることで、肘掛け７が回転軸６３３に取り付けられる。肘掛け７は、図２１に示すように、肘掛け本体部７１と、解除操作部（スライドレバー７２）と、連動部７３と、保持部７４とを備えている。
【００９１】
肘掛け本体部７１は、肘掛け７の主体を構成する部分である。肘掛け本体部７１は、角筒状に形成されて連動部７３を内部に収容するハウジング部７１２と、ハウジング部７１２の上面に固定される肘置き部７１３と、エンドキャップ部７１４とを備えている。エンドキャップ部７１４は、ハウジング部７１２に連動部７３が収容された状態で、ハウジング部７１２の先端側の開口部７１２ａに取り付けられる。
【００９２】
肘掛け本体部７１は、台座部６２の回転軸６３３に取り付けられると、図１９に示すように、長手方向が前後方向に平行な第１の姿勢と、第１の姿勢から回転した位置である第２の姿勢との間で回転可能に構成される。本実施形態の第２の姿勢は、第１の姿勢から肘掛け本体部７１が上方に回転した位置にある姿勢であり、より具体的には、肘掛け本体部７１の長手方向が上下方向に平行な姿勢である。本実施形態の肘掛け７は、後述のように、肘掛け本体部７１が第１の姿勢又は第２の姿勢にあるときに、肘掛け本体部７１を台座部６２に対して保持させることができる。
【００９３】
解除操作部は、台座部６２に対して保持された肘掛け本体部７１の保持状態を、使用者の操作によって解除することができる部材である。本実施形態の解除操作部は、肘掛け本体部７１の長手方向に沿って移動可能に構成されたスライドレバー７２により構成される。スライドレバー７２は、肘掛け本体部７１の先端と回転軸６３３との間に配置され、さらに、肘掛け本体部７１の下部に配置されている。ここで、「肘掛け本体部７１の下部」とは、肘掛け本体部７１が第１の姿勢にある状態において、上下方向の中央よりも下方の領域をいう。
【００９４】
スライドレバー７２は、肘掛け本体部７１の先端と回転軸６３３との間に配置されており、より詳しくは、肘掛け本体部７１の先端（本実施形態では肘置き部７１３の先端）と回転軸６３３との間の中央部７２１に配置される。ここでいう「中央部７２１」とは、例えば、肘掛け本体部７１の長手方向の長さを３等分したときの中央部分の領域をいう。スライドレバー７２は、この肘掛け本体部７１の中央部７２１において、ハウジング部７１２の下面に取り付けられている。スライドレバー７２は、連動部７３に連結されており、スライドレバー７２の移動に連動して、連動部７３を移動させることができる。
【００９５】
連動部７３は、図２１に示すように、肘掛け本体部７１の長手方向に沿って延びている。連動部７３は、肘掛け本体部７１の長手方向の先端側の端部にスライドレバー７２が連結され、回転軸６３３側の端部（基端部）に、保持部７４を動作させる作動部７３１が形成されている。
【００９６】
作動部７３１は、肘掛け本体部７１の長手方向に沿って移動することで、保持部７４を左右方向に移動させることができる。作動部７３１の先端面には、作動面７３２が形成されている。作動面７３２は、肘掛け本体部７１の長手方向の基端側ほど、左右方向のトイレ本体４側に位置するように傾斜している。この作動面７３２には、保持部７４が接触した状態で配置される。また、作動部７３１には、コイルバネ７３３からなる付勢体が、取り付けられている。これにより、連動部７３は、肘掛け本体部７１の長手方向の先端側に付勢されている。
【００９７】
保持部７４は、連動部７３によって動作され、トイレ本体４の支持板６０に対して肘掛け本体部７１を保持させることができる。保持部７４は、作動部７３１の作動面７３２に接触する押圧面７４２を有する保持部本体７４１と、ロックピン７４３と、軸部７４４とを備えている。軸部７４４には、コイルバネ７４５からなる付勢体が、同心状に取り付けられている。保持部７４は、付勢体によって、常時、ロックピン７４３がトイレ本体４側（左右方向のうちの内側）に押し込まれるように弾性的に押されている。
【００９８】
押圧面７４２は、作動面７３２に平行に傾斜する。押圧面７４２は、図２２Ａ，２２Ｂに示すように、作動部７３１側ほどトイレ本体４とは反対側（左右方向のうちの外側）に位置するように傾斜している。押圧面７４２は、作動面７３２に面状に接触するように構成されており、作動部７３１が保持部本体７４１側に移動すると、図２２Ａに示すように、コイルバネ７４５を押し返しながら（圧縮させながら）、保持部本体７４１がトイレ本体４とは反対側に移動する。なお、この後、使用者がスライドレバー７２を放すと、コイルバネ７３３，７４５によって、保持部本体７４１がトイレ本体４側に移動し、連動部７３が肘掛け本体部７１の長手方向の先端側に移動する。
【００９９】
ロックピン７４３は、保持部本体７４１からトイレ本体４側に突出している。ロックピン７４３は、台座部６２の基台プレート６３に設けられた孔６３６に進入・後退可能に構成されている。ロックピン７４３は、保持部本体７４１がトイレ本体４側に移動すると、肘掛け本体部７１の内側面から突出し、基台プレート６３の孔６３６に進入する。すると、ロックピン７４３は、肘掛け本体部７１をトイレ本体４に対して保持する。
【０１００】
一方、ロックピン７４３は、保持部本体７４１がトイレ本体４とは反対側に移動すると、図２２Ｂに示すように、肘掛け本体部７１の内側面に対して後退して、基台プレート６３の孔６３６から抜けるように構成される。これにより、肘掛け本体部７１は、回転軸６３３周りに回転することができる。
【０１０１】
このような構成の肘掛け７は、第１の姿勢にあるときと、第２の姿勢にあるときとの両方で、トイレ本体４の支持板６０に対して肘掛け本体部７１が保持される。つまり、基台プレート６３には、図２０に示すように、回転軸６３３とロックピン７４３との距離を半径とし且つ回転軸６３３を中心とした仮想円上において、回転軸６３３に対して上下方向に並ぶ位置と、前方に並ぶ位置とにそれぞれ孔６３６が形成される。
【０１０２】
また、本実施形態の肘掛け７は、図２１に示すように、保持部固定部材７５を有している。保持部固定部材７５は、保持部７４のロックピン７４３が後退し、孔６３６から抜けた状態で、保持部７４を固定することができる。保持部固定部材７５は、保持部７４の軸部７４４を保持可能な固定孔７５１を有しており、肘掛け本体部７１の外側面にスライド可能に取り付けられている。
【０１０３】
軸部７４４は、ロックピン７４３が後退すると、図２３Ａに示すように、肘掛け本体部７１の外側面から突出する。軸部７４４には、くびれ部７４６が形成されている。くびれ部７４６は、図２３Ｂに示すように、ロックピン７４３が後退した状態において、肘掛け本体部７１の外側面から突出する箇所に設けられている。
【０１０４】
図２３Ｂに示すように、使用者がスライドレバー７２を回転軸６３３側に移動させると、保持部７４がトイレ本体４とは反対側に移動し、肘掛け本体部７１の外側面から軸部７４４が突出する。この状態において、保持部固定部材７５を回転軸６３３側に移動させると、図２３Ｃに示すように、固定孔７５１の外周部が軸部７４４のくびれ部７４６に入り込んで、後退状態のロックピン７４３を固定することができる。これにより、使用者は、肘掛け７を、回転軸６３３周りに回転可能な状態とすることができる。
【０１０５】
（３）変形例
続いて、上述した一実施形態のポータブルトイレ１の変形例について説明する。
【０１０６】
ポータブルトイレ１のうち、トレイ３を除く残りの構成は、上述した構造に限らず、その他の構造であってもよい。
【０１０７】
汚水受け３１の上面は、その傾斜角度が一定でなくてもよく、部分毎に異なってもよい。この場合、複数の隅部３１０は、凹部３０からの距離が、汚水受け３１の外縁のうち複数の隅部３１０を除いた部分と同じであってもよいし、この部分よりも短くてもよい。
【０１０８】
汚水受け３１が有する複数の隅部３１０の数は、４つに限らず、３つ、または５つ以上であってもよく、汚水受け３１の上面の外形状も、矩形状に限定されない。
【０１０９】
（４）トレイの特徴と効果
上述した一実施形態及びその変形例のポータブルトイレ１から明らかなように、第一の態様のトレイ３は、下記の第一の特徴を備える。
【０１１０】
すなわち、第一の態様のトレイ３は、ポータブルトイレ１の便座１０の下に配され、汚物受け用のバケツ２が着脱可能に装着されるトレイである。第一の態様のトレイ３は、バケツ２が挿入される凹部３０と、凹部３０の上端部を囲んで位置する平面視環状の汚水受け３１と、汚水受け３１の外周縁から上方に突出した周壁３２と、を備える。
【０１１１】
汚水受け３１は、その外周縁において周方向に距離をあけて位置する複数の隅部３１０を有する。汚水受け３１の上面は、複数の隅部３１０が汚水受け３１の他の部分よりも低くなるように、全体が傾斜している。
【０１１２】
上記の第一の特徴を備える第一の態様のトレイ３では、凹部３０に挿入されたバケツ２内から飛び散った汚水や、便座１０に座った利用者から飛んできた汚水を、汚水受け３１の上面で受け、この汚水を複数の隅部３１０に分散させて集めることができる。そのため第一の態様のトレイ３では、汚水受け３１の上面の汚水が一か所に集中してかさ高となり、バケツ２の取っ手９が汚水に浸かる等の問題の発生を抑えることができる。また、第一の態様のトレイ３では、汚水受け３１の上面の汚水を拭き取るときに、汚水の集中する箇所が一定となるため、掃除しやすい。
【０１１３】
また、第二の態様のトレイ３は、上記の第一の特徴に加えて、下記の第二の特徴を備える。
【０１１４】
すなわち、第二の態様のトレイ３では、複数の隅部３１０は、汚水受け３１の外縁のうち、複数の隅部３１０を除いた部分よりも凹部３０からの距離を隔てた部分である。
【０１１５】
上記の第二の特徴を備える第二の態様のトレイ３では、複数の隅部３１０が凹部３０からの距離を隔てた部分であるため、各隅部３１０に溜まった汚水が、凹部３０へと流れ込みにくい。また、第二の態様のトレイ３では、各隅部３１０が凹部３０からの距離を隔てた部分であるため、凹部３０に装着されたバケツ２の円弧状の取っ手９と、各隅部３１０上の周壁３２との間に、指先を入れるスペースを形成しやすく、取っ手９が持ち上げやすい。
【０１１６】
また、第三の態様のトレイ３は、第二の態様のトレイ３の特徴に加えて、下記の第三の特徴を備える。
【０１１７】
すなわち、第三の態様のトレイ３では、汚水受け３１の上面の外形状は、矩形状であり、複数の隅部３１０は、４つの隅部３１０である。
【０１１８】
上記の第三の特徴を備える第三の態様のトレイ３では、汚水受け３１の上面で受けた汚水を、４つの隅部３１０に分散させて集めることができ、各隅部３１０に集まる汚水の量を抑えることができる。
【０１１９】
（５）補足
一実施形態のトレイ３は、汚水受け３１のうち、周方向に隣接する２つの隅部３１０の間の部分に、汚水受け３１の他の部分よりも上方に位置するように突出し、取っ手９の把持部９３を支持するように設けられた支持部３１１を有する。
【０１２０】
そのため、一実施形態のトレイ３では、支持部３１１によって取っ手９の把持部９３を支持することにより、取っ手９のその他の部分と、汚水受け３１の上面との間に隙間を形成することができる。これにより、一実施形態のトレイ３では、取っ手９が汚水に浸かって汚れることをさらに抑制できる。
【０１２１】
また、一実施形態のトレイ３は、支持部３１１を、汚水受け３１のうち凹部３０よりも後方の部分に有する。
【０１２２】
そのため、一実施形態のトレイ３では、トレイ３上に載せた便座１０に座った利用者からの汚水が、支持部３１１上に飛び散りにくい。
【０１２３】
また、一実施形態のトレイ３では、凹部３０は、バケツ本体２０が収容される本体部３００と、ハンドル２２が収納される拡張部３０１とを有し、拡張部３０１は、本体部３００の後方に位置する。
【０１２４】
そのため、一実施形態のトレイ３では、ハンドル２２が収納される拡張部３０１には、汚水が流れ込みにくく、ハンドル２２が流れ込んだ汚水によって汚れることを抑制することができる。
【０１２５】
また、一実施形態のトレイ３は、凹部３０の上端の開口の縁に、上方に突出する堰３８を有する。
【０１２６】
そのため、一実施形態のトレイ３では、凹部３０に汚水が流れ込むことを、堰３８によって抑制することができ、凹部３０内に挿入されたバケツ本体２０やハンドル２２が汚れることを抑制することができる。
【０１２７】
以上、本発明を添付図面に示す実施形態に基づいて説明したが、本発明は上記の実施形態に限定されるものではなく、本発明の意図する範囲内であれば、適宜の設計変更が可能である。
【符号の説明】
【０１２８】
１      ポータブルトイレ
２      バケツ
３      トレイ
３０    凹部
３１    汚水受け
３２    周壁
３１０  隅部
１０    便座
【図１】
2018201589.tif 000003
【図２】
2018201589.tif 000004
【図３】
2018201589.tif 000005
【図４】
2018201589.tif 000006
【図５】
2018201589.tif 000007
【図６】
2018201589.tif 000008
【図７】
2018201589.tif 000009
【図８】
2018201589.tif 000010
【図９】
2018201589.tif 000011
【図１０】
2018201589.tif 000012
【図１１】
2018201589.tif 000013
【図１２】
2018201589.tif 000014
【図１３】
2018201589.tif 000015
【図１４】
2018201589.tif 000016
【図１５】
2018201589.tif 000017
【図１６】
2018201589.tif 000018
【図１７】
2018201589.tif 000019
【図１８】
2018201589.tif 000020
【図１９】
2018201589.tif 000021
【図２０】
2018201589.tif 000022
【図２１】
2018201589.tif 000023
【図２２】
2018201589.tif 000024
【図２３】
2018201589.tif 000025